(57)【要約】【課題】移動しながら地上波ディジタルワンセグ放送を視聴または録画する際に、使用電力を最小限に抑えるとともにスムーズにチャンネル設定／切替が行われる情報処理装置を提供することを目的とする。【解決手段】位置情報を取得する測位手段（Ｓ１０３）と、放送エリアとこの放送エリアにおけるチャンネルとが予め対応付けられているマップ情報を記憶する記憶手段と、前記記憶手段により記憶されている前記マップ情報を参照して、前記測位手段により取得された前記位置情報に基づいて、チャンネル情報を生成するチャンネル情報生成手段（Ｓ１０５）と、前記チャンネル情報生成手段により生成された前記チャンネル情報に基づいて、チャンネルを設定し切り替える切替手段（Ｓ１０６）とを備える。【選択図】  図６
2008124672.tif 000002
【特許請求の範囲】
【請求項１】
位置情報を取得する測位手段と、
放送エリアとこの放送エリアにおけるチャンネルとが予め対応付けられているマップ情報を記憶する記憶手段と、
前記記憶手段により記憶されている前記マップ情報を参照して、前記測位手段により取得された前記位置情報に基づいて、チャンネル情報を生成するチャンネル情報生成手段と、
前記チャンネル情報生成手段により生成された前記チャンネル情報に基づいて、チャンネルを設定し切り替える切替手段とを備えたことを特徴とする情報処理装置。
【請求項２】
受信された放送波の受信品質に関する情報である受信品質情報を生成する受信品質情報生成手段と、
前記受信品質情報生成手段により生成された前記受信品質情報に基づいて、受信された放送波の受信品質が予め設定された所定の基準値以下であるか否かを判定する判定手段とをさらに備え、
前記判定手段により受信された放送波の受信品質が予め設定された所定の基準値以下であると判定された場合、前記測位手段は、前記位置情報を取得することを特徴とする請求項１記載の情報処理装置。
【請求項３】
受信された放送波の受信品質に関する情報である受信品質情報を生成する受信品質情報生成手段と、
前記受信品質情報生成手段により生成された前記受信品質情報に基づいて、受信された放送波の受信品質が予め設定された所定の基準値以下であるか否かを判定する判定手段と、
前記判定手段により受信された放送波の受信品質が予め設定された所定の基準値以下であると判定された場合、位置情報を取得する測位手段と、
前記測位手段により受信された前記位置情報を、放送エリアとこの放送エリアにおけるチャンネルとが予め対応付けられているマップ情報を記憶し管理する情報管理装置に送信する送信手段と、
前記情報管理装置からチャンネル情報を受信するチャンネル情報受信手段と、
前記チャンネル情報受信手段により受信された前記チャンネル情報に基づいて、チャンネルを設定し切り替える切替手段とを備えたことを特徴とする情報処理装置。
【発明の詳細な説明】
【技術分野】
【０００１】
本発明は、地上波ディジタル放送または地上波ディジタルワンセグ放送を受信して視聴処理及び録画処理を行う情報処理装置に関する。
【背景技術】
【０００２】
近年、地上波ディジタル放送が開始されるとともに、高画質であることが要求されない携帯電話機等の携帯型の端末を対象にして、地上波ディジタル放送の一部を利用する地上波ディジタルワンセグ放送も開始されている。
【０００３】
地上波ディジタルワンセグ放送が行われる際に、複数の放送局がそれぞれ所定位置に設置されて、各々の放送局が各々の放送エリアを形成している。すなわち、各々の放送局が独自のチャンネル体系を持っていて、同じチャンネルであっても放送エリアによって異なった番組が放送されている。
【０００４】
よって、例えば携帯電話機でディジタル放送を受信している際に、携帯電話機を、複数の放送エリアをまたいで移動させた場合に、視聴または録画を行うチャンネルが特定のチャンネルに設定されていても、放送エリアによって異なった番組を受信してしまう恐れがあり、その場合は、視聴処理または録画処理を行っている番組が勝手に切り替わってしまうという問題があった。
【０００５】
そこで、ＧＰＳ機能を用いて一定時間毎に、その時に置かれている放送エリアを確認し、放送エリア毎の番組情報を取得して受信チャンネルの再設定を行う情報処理装置が提案されてきた（特許文献１参照）。
【特許文献１】特開２００６−２００１０号公報
【発明の開示】
【発明が解決しようとする課題】
【０００６】
情報処理装置において、移動しながら地上波ディジタルワンセグ放送を視聴または録画する際に、移動体である情報処理装置は使用できる電力量が限られているので、チャンネルの再設定等を行う場合であっても、使用電力を最小限に抑えることが望ましい。
【０００７】
本発明は、上記課題を鑑みなされたものであり、移動しながら地上波ディジタルワンセグ放送の視聴処理または録画処理を行う際に、使用電力を最小限に抑えるとともにスムーズに放送エリア毎のチャンネル設定／切替が行われる情報処理装置を提供することを目的とする。
【課題を解決するための手段】
【０００８】
上記課題を解決するために、本発明に係る情報処理装置は、位置情報を取得する測位手段と、放送エリアとこの放送エリアにおけるチャンネルとが予め対応付けられているマップ情報を記憶する記憶手段と、前記記憶手段により記憶されている前記マップ情報を参照して、前記測位手段により取得された前記位置情報に基づいて、チャンネル情報を生成するチャンネル情報生成手段と、前記チャンネル情報生成手段により生成された前記チャンネル情報に基づいて、チャンネルを設定し切り替える切替手段とを備えたことを特徴とする。
【発明の効果】
【０００９】
本発明によると、情報処理装置において、移動しながら地上波ディジタルワンセグ放送の視聴処理または録画処理を行う際に、使用電力を最小限に抑えるとともにスムーズに放送エリア毎のチャンネル設定／切替が行うことが可能となる。
【発明を実施するための最良の形態】
【００１０】
本発明に係る情報処理装置の実施形態について、添付図面を参照しながら説明する。なお、本発明に係る情報処理装置１として、携帯電話機型の情報処理装置１を例にとって説明する。
【００１１】
図１に、本発明に係る情報処理装置１が適用されるネットワークシステム３の構成図を示す。
【００１２】
このネットワークシステム３に、地上波ディジタル放送及び地上波ワンセグディジタル放送の放送局４ａ、４ｂ、・・が複数設置されており、情報処理装置１は、これらの放送局４ａ、４ｂ、・・の各々の放送エリアＡ、Ｂ、・・において、各々の放送局４ａ、４ｂ、・・から地上波ワンセグディジタル放送波を受信する。
【００１３】
また、ネットワークシステム３には、通信サービスの提供エリアを所望の大きさに分割したセル内にそれぞれ固定無線局である基地局５ａ，５ｂ，…が設置されている。この基地局５ａ，５ｂ，…は、移動無線局である情報処理装置１が例えばＷ−ＣＤＭＡ（Wideband-Code Division Multiple Access）方式と呼ばれる符号分割多元接続方式によって無線接続されており、例えば２ＧＨｚ周波数帯の５ＭＨｚ帯域を利用して、静止時には２Ｍｂｐｓ、移動時は３８４ｋｂｐｓのデータ転送速度で大容量の高速データ通信を行うことができる。
【００１４】
情報処理装置１は、Ｗ−ＣＤＭＡ方式によって大容量データの高速データ通信を行うことにより、音声通話だけでなく電子メールの送受信、簡易ホームページの閲覧、画像の送受信等の多種に及ぶデータ通信が可能である。
【００１５】
また、基地局５ａ，５ｂ，…は、有線回線を介して公衆回線網６に接続されており、公衆回線網６には、インターネットサービスプロバイダのアクセスサーバ７が接続されている。アクセスサーバ７には、ネットワーク８（例えば、インターネット、ＬＡＮ（Local Area Network）、ＷＡＮ（Wide Area Network）、その他の各種のネットワークを含む）を介して種々のコンテンツサーバ（図示せず）が接続されている。
【００１６】
さらに、このネットワーク８には複数の無線ＬＡＮネットワーク９ａ、９ｂ、・・が接続されており、情報処理装置１は、無線ＬＡＮネットワーク９ａ、９ｂ、・・のアクセスポイント１０ａ、１０ｂ、・・を介して大容量通信を行うことができる。
【００１７】
また、ネットワークシステム３には、ＧＰＳ放送局１１が所定の場所に設置されており、情報処理装置１は、内蔵されるＧＰＳ受信部（後述する図４のＧＰＳ受信部５９）を介して、ＧＰＳ放送局１１からのＧＰＳ波（ＧＰＳ情報）を受信する。
【００１８】
なお、情報処理装置１の測位手段として、ＧＰＳ放送局１１からのＧＰＳ情報を用いたシステムを例に挙げて説明するが、基地局５ａ、５ｂ、・・のセルＩＤを用いたシステム、またはそれらを組み合わせたシステムを用いて測位手段としてもよい。
【００１９】
図２及び図３に、情報処理装置１の一例として説明に用いている折り畳み型の携帯電話機の外観図を示す。図２［Ａ］は、情報処理装置１の約１８０度に見開いた状態の正面図であり、図２［Ｂ］は、情報処理装置１の見開いた状態の側面図である。また、図３［Ａ］は、情報処理装置１の折り畳んだ状態の正面図であり、図３［Ｂ］は、情報処理装置１の折り畳んだ状態の側面図である。
【００２０】
図２及び図３に示されるように、情報処理装置１は、中央のヒンジ部２１を境に第１の筐体２２と第２の筐体２３とがヒンジ結合されており、ヒンジ部２１を介して図２のＸ方向に折り畳み可能に形成される。情報処理装置１の内部の所定の位置には、送受信用のアンテナ（後述する図４のアンテナ５７）が設けられており、内蔵されたアンテナ５７を介して基地局（図示せず）との間で電波を送受信する。
【００２１】
第１の筐体２２の中央部には、メインディスプレイ２５が設けられている。このメインディスプレイ２５の上部には、現在のアンテナ５７の感度のレベルを示すアンテナピクト、情報処理装置１の現在の電池残量を示す電池ピクト、現在の時刻等が表示される。このメインディスプレイ２５には、「Ｒ」及び「Ｓ」のマークが表示される。「Ｒ」のマークは、地上波ディジタルワンセグ放送波を録画中である旨を示し、「Ｓ」のマークは、録画管理装置２において地上波ディジタルワンセグ放送波または地上波ディジタル放送波を録画中である旨を示す。メインディスプレイ２５の中央部には、地上波ディジタルワンセグ放送波の視聴処理を行っている際に、視聴処理が行われている番組の動画像画面、地上波ディジタルワンセグ放送波に付属されたニュース等の文字情報、視聴処理が行われている番組の番組情報等が表示される。メインディスプレイ２５の下部には、後述する操作キー２４に対して任意の処理が割り当てられていることを示す「選択」、「メニュー」等の処理内容が表示されている。
【００２２】
また、メインディスプレイ２５の上部の所定の位置にはスピーカ２８が設けられており、これにより、ユーザが音声を聞くことが可能となる。
【００２３】
第１の筐体２２には、その表面に「０」〜「９」の数字キー、発呼キー、リダイヤルキー、終話・電源キー、クリアキー、および電子メールキーなどの操作キー２４が設けられており、ユーザは操作キー２４を用いて各種指示を入力することができる。
【００２４】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられたメインディスプレイ２５に表示されている電話帳リストや電子メールのスクロール動作、簡易ホームページのページ捲り動作および画像の送り動作などの種々の動作を実行する。
【００２５】
また、確定キーを押下することにより、種々の機能を確定することができる。例えば第１の筐体２２は、ユーザによる十字キーの操作に応じてメインディスプレイ２５に表示された電話帳リストの複数の電話番号の中から所望の電話番号が選択され、確定キーが第１の筐体２２の内部方向に押圧されると、選択された電話番号を確定して電話番号に対して発呼処理を行う。
【００２６】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、メインディスプレイ２５に表示される画面により例えば「Yes」や「No」等の種々の機能をもつことが可能であるため、それぞれ、soft１キーおよびsoft２キーと呼ばれる。
【００２７】
また、第１の筐体２２には、操作キー２４の下部にマイクロフォン２６が設けられており、マイクロフォン２６によって通話時のユーザの音声を集音する。また、第１の筐体２２には、情報処理装置１の操作を行うサイドキー２７が設けられている。
【００２８】
なお、第１の筐体２２は、背面側に図示しないバッテリパックが挿着されており、終話・電源キーがオン状態になると、バッテリパックから各回路部に対して電力が供給されて動作可能な状態に起動する。
【００２９】
ところで、第１の筐体２２には、第１の筐体２２の下部の所定の位置に抜差自在なメモリカードを挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００３０】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００３１】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３２】
従って、情報処理装置１は、このようなメモリカードを挿着可能に構成されているために、メモリカードを介して他の電子機器との間でデータの共有化を図ることができる。
【００３３】
また、所定の機能を拡張するためのモジュール（チップ）をメモリカードに組み込み、メモリカードスロット（図示せず）にそれを装着させることにより、情報処理装置１の機能をさらに拡張させることができる。
【００３４】
例えば、非接触ＩＣ（Integrated Circuit）チップが組み込まれたメモリカードを情報処理装置１に装着することにより、非接触ＩＣチップが情報処理装置１に内蔵されていない場合であっても、非接触ＩＣチップが内蔵された場合と同様の電子決済機能などを有するように機能を拡張させることもできる。
【００３５】
また、第１の筐体２２と第２の筐体２３の内部の所定の位置には、情報処理装置１の状態を検知するための磁気センサ２９a、２９b、２９c、および２９dが設けられている。
【００３６】
第２の筐体２３の上部には、ＣＣＤカメラ３０が設けられており、これにより、ユーザが所望の撮影対象を撮像することが可能となる。
【００３７】
ＣＣＤカメラ３０の下部には、サブディスプレイ３１が設けられており、現在のアンテナ５７の感度のレベルを示すアンテナピクト、情報処理装置１の現在の電池残量を示す電池ピクト、現在の時刻などが表示される。
【００３８】
サブディスプレイ３１の下部には、さらに、静電タッチパッド３２が設けられる。静電タッチパッド３２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３９】
また、スピーカ２８の上部の所定の位置には、２つのＬＥＤ（Light Emitting Diode）３３ａと３３ｂが設けられており、ＬＥＤ３３ａ及びＬＥＤ３３ｂを点滅あるいは点灯させることで、情報処理装置１において受信された地上波ディジタルワンセグ放送波を視聴中であったり録画中であったりする旨をユーザに報知することができる。
【００４０】
図４は、情報処理装置１の機能構成図である。
【００４１】
情報処理装置１は、図４に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、地上波ディジタルワンセグ受信部５３、記録再生部５４、ＧＰＳ受信部５９がバス５５によって相互に接続されて構成される。
【００４２】
主制御部４１は、様々なデータ処理や演算を行うＣＰＵ（Central Processing Unit）からなる。記憶部４２は、主制御部４１が行う処理プログラム等を格納するＲＯＭ（Read Only Memory）やハードディスク等の磁気的な記憶装置、主制御部４１が処理を行う際に使用するデータを一時的に記憶するＲＡＭ（Random Access Memory）等の電気的な記憶装置とからなる。また、主制御部４１には、現在の日付と時刻を計測するタイマが内蔵されている。
【００４３】
電源回路部４３は、ユーザの操作キー２４による入力により電源のオン／オフ状態を切り替え、電源がオン状態の場合には電源（バッテリパック等）から各部に対して電力を供給して、情報処理装置１を動作可能にする。
【００４４】
操作入力制御部４４は、操作キー２４によって入力されたデータを主制御部４１に伝送する。
【００４５】
ＬＣＤ制御部４５は、主制御部４１の制御に基づいて、画像データをメインディスプレイ２５またはサブディスプレイ３１に表示する処理を行う。
【００４６】
カメラインターフェース４６は、ＣＣＤカメラ３０で撮像した画像信号をＬＣＤ制御部４５を介してメインディスプレイ２５またはサブディスプレイ３１に表示する。
【００４７】
画像エンコーダ４７は、主制御部４１の制御に基づいて、ＣＣＤカメラ３０が入力した画像信号を、例えばＭＰＥＧ−４（Moving Picture Experts Group-4）等の所定の符号化方式によって圧縮符号化して画像データを作成したり、符号化された画像データを他の符号化方式に変換して新たな画像データを作成したりする。
【００４８】
音声コーディック４８は、主制御部４１の制御に基づいて、マイクロフォン２６で集音した音声からアナログ音声信号を生成する。
【００４９】
変復調回路部４９は、音声コーディック４８からアナログ音声信号を入力してディジタル音声信号に変換し、送受信回路部５６に伝送する。送受信回路部５６はこのディジタル音声信号をアンテナ５７を介して送信する。
【００５０】
また、変復調回路部４９は、送受信回路部５６がアンテナ５７を介して受信したディジタル音声信号を入力し、このディジタル音声信号をアナログ音声信号に変換する。音声コーディック４８は、このアナログ音声信号を取得して、スピーカ２８から音声として出力する。
【００５１】
多重化分離部５０は、複数の信号を重ねて多重化信号を生成する多重化処理、及び、多重化信号を複数の信号に分離する分離処理を行う。
【００５２】
例えば、多重化分離部５０は、変復調回路部４９から入力した多重化動画像信号を、符号化画像信号と音声信号とに分け、メインバス５５を介して符号化画像信号を画像デコーダ５１に伝送するとともに、音声信号を音声コーディック４８に伝送する。
【００５３】
また、多重化分離部５０は、画像エンコーダ４７から入力した画像信号と音声コーディックから入力した音声信号とを所定の方式で多重化し、その結果得られる多重化信号を、変復調回路部４９に伝送する。
【００５４】
画像デコーダ５１は、送受信回路部５６から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５またはサブディスプレイ３１に表示する。
【００５５】
無線ＬＡＮモジュール５２は、内蔵されたアンテナ（図示せず）を介して、ＩＥＥＥ８０２．１１ａ／ｂ／ｇ等の所定の規格に準拠した無線ＬＡＮ通信を行う。
【００５６】
地上波ディジタルワンセグ受信部５３は、放送局４ａ、４ｂ、・・からの地上波ディジタルワンセグ放送波を受信する。地上波ディジタルワンセグ受信部５３は、この地上波ディジタルワンセグ放送波を、視聴処理を行う際には多重分離部５０に、録画処理を行う際には記憶部４２に供給する。
【００５７】
記録再生部５４は、メモリカード５８等の外部メモリに対するインタフェースを備え、このメモリカード５８等に対して書き込み処理や読み込み処理を行う。
【００５８】
ＧＰＳ受信部５９は、ＧＰＳ放送局１１からのＧＰＳ波（ＧＰＳ情報）を受信する。
【００５９】
主制御部４１は、電子メール等のデータを送信する場合、操作キー２４の操作によって入力された電子メールのテキストデータを操作入力制御部４４を介して主制御部４１に送出する。主制御部４１は、テキストデータを変復調回路部４９でスペクトラム拡散処理し、送受信回路部５６でディジタルアナログ変換処理及び周波数変換処理を施した後にアンテナ５７を介して送信する。
【００６０】
また、主制御部４１は、電子メール等のデータを受信する場合、アンテナ５７を介して受信した受信信号を変復調回路部４９でスペクトラム逆拡散処理して元のテキストデータを復元した後、ＬＣＤ制御部４５を介してメインディスプレイ２５またはサブディスプレイ３１にこのテキストデータを受信メールとして表示する。その後、主制御部４１は、ユーザの操作に応じて受信メールを記憶部４２または記録再生部５４を介してメモリカード５８に記録する。
【００６１】
なお、主制御部４１が実行する種々のアプリケーションプログラムは、記憶部４２に予めインストールしておくことができる。また、主制御部４１が実行する種々のアプリケーションプログラムは、通信回線を介してダウンロードすることにより、記憶部４２にインストールすることができる。さらに、主制御部４１が実行する種々のアプリケーションプログラムは、メモリカード５８に記録しておき、記録再生部５４によって読み出して、記憶部４２にインストールすることも可能である。
【００６２】
ここで、情報処理装置１は、地上波ディジタルワンセグ受信部５３により、例えば放送エリアＡ内において放送局４ａから地上波ディジタルワンセグ放送波を受信して、視聴処理または録画処理を行う。
【００６３】
視聴処理は、多重化分離部５０により地上波ディジタルワンセグ放送波の受信データを音声信号と画像信号が分離して、画像信号をＬＣＤ制御部４５によりメインディスプレイ２５に表示するとともに、音声信号を音声コーディック４８によりスピーカ２８を介して出力する処理である。
【００６４】
録画処理は、地上波ディジタルワンセグ放送波の受信データを記憶部４２により記憶する処理である。
【００６５】
しかしながら、情報処理装置１を移動体として使用した場合に、放送エリアをまたいで情報処理装置１にて地上波ディジタルワンセグ放送の視聴処理または録画処理を実行することが想定される。
【００６６】
地上波ディジタル放送及び地上波ディジタルワンセグ放送は、放送エリア毎に異なった番組が放送されており、放送エリア毎に、独自のチャンネル（周波数）と番組とが対応付けられている。例えば、図５に示すように、チャンネル表６０は、ＧＰＳ情報を含んだ放送エリア情報６１、チャンネル情報６２、各チャンネル情報６２に対応付けられた番組情報６３を備えたマップ情報からなる。
【００６７】
よって、例えば、情報処理装置１を用いて放送エリアＡ内にて放送局４ａから地上波ディジタルワンセグ放送波を受信して視聴処理または録画処理を行っている際に、情報処理装置１が放送エリアＢ内に移動した場合に、受信を行う地上波ディジタルワンセグ放送波の送信元が放送局が放送局４ａから放送局４ｂへ変更されるため、視聴処理または録画処理を行っていたチャンネルで放送されている番組が変わってしまったり、そのチャンネルでの放送が行われていなかったりする恐れがある。
【００６８】
例えば、図５のチャンネル表６０によると、放送エリアＡ内でチャンネル「５ｃｈ」の「ｅｅｅｅｅｅｅ」の番組の視聴処理を行っていた際に、情報処理装置１が放送エリアＢ内に移動した場合に、チャンネル「５ｃｈ」で受信している番組は「ｆｆｆｆｆｆｆ」の番組に切り替わってしまう。情報処理装置１が「ｅｅｅｅｅｅｅ」の番組を視聴処理を継続したい場合には、放送エリアＢ内においてチャンネルをチャンネル「３ｃｈ」に切り替える必要がある。
【００６９】
そこで、情報処理装置１は、ＧＰＳ受信部５９によりＧＰＳ情報を受信し、このＧＰＳ情報から地上波ディジタルワンセグ放送の送信元となる放送局を特定することにより、受信する地上波ディジタルワンセグ放送波の適切なチャンネルを設定／切替する。
【００７０】
情報処理装置１が地上波ディジタルワンセグ放送のチャンネルを設定して切り替えるチャンネル設定／切替処理の手順を、図６に示すフローチャートに基づいて説明する。なお、情報処理装置１の記憶部４２に、チャンネル表６０が予め記憶されている。
【００７１】
始めに、情報処理装置１の主制御部４１は、ユーザの操作キー２４による指示あるいは記憶部４２に予め記憶されている予約情報等に基づいた指示により、地上波ディジタルワンセグ放送波を受信し、視聴処理または録画処理を開始する（Ｓ１０１）。主制御部４１は、予め設定されている所定の時間（例えば１０分）が経過したか否かを判断する（Ｓ１０２）。
【００７２】
所定の時間が経過していない場合（Ｓ１０２のＮｏ）は、主制御部４１は、チャンネル設定処理を行わずに待機する。
【００７３】
所定の時間が経過している場合（Ｓ１０２のＹｅｓ）は、主制御部４１は、ＧＰＳ受信部５９によりＧＰＳ放送局１１からＧＰＳ情報を受信し、情報処理装置１の測位を行う（Ｓ１０３）。そして、主制御部４１は、このＧＰＳ情報に基づいて、チャンネル表６０から、情報処理装置１が置かれている放送エリアのマップ情報を読み出す（Ｓ１０３）。
【００７４】
主制御部４１は、このマップ情報から視聴処理または録画処理を行う番組が放送されているチャンネルを示すチャンネル情報を生成する（Ｓ１０４）。そして、主制御部４１は、受信する地上波ディジタルワンセグ放送のチャンネルをこのチャンネルに設定して切り替える（Ｓ１０５）。すなわち、旧エリアの放送チャンネルを現エリアの放送チャンネルに前チャンネルの設定を変更するとともに、視聴処理または録画処理を行っているチャンネルを切り替える。この際、視聴処理または録画処理がされているチャンネル情報がマップ情報から生成されたチャンネル情報と等しかった場合には、主制御部４１は、このチャンネルの設定／切替を行う必要はない。
【００７５】
主制御部４１は、地上波ディジタルワンセグ放送波の視聴処理または録画処理を終了する旨の指示がなされたか否かを判断する（Ｓ１０６）。
【００７６】
視聴処理または録画処理を終了する旨の指示がなされていない場合（Ｓ１０６のＮｏ）は、主制御部４１は、視聴処理または録画処理を継続する。
【００７７】
また、視聴処理または録画処理を終了する旨の指示がなされた場合（Ｓ１０６のＹｅｓ）は、主制御部４１は、地上波ディジタルワンセグ放送波の視聴処理または録画処理を終了する（Ｓ１０７）。
【００７８】
このようにＧＰＳ情報と情報処理装置１の記憶部４２に記憶されたチャンネル表６０を用いてチャンネルを設定することにより、情報処理装置１は、移動しながら地上波ディジタルワンセグ放送を視聴または録画する際においても、主制御部４１の負荷を軽減させて使用電力を最小限に抑えつつ、スムーズなチャンネル設定を行うことが可能となる。
【００７９】
次に、情報処理装置１が地上波ディジタルワンセグ放送のチャンネル設定処理を行う際に、地上波ディジタルワンセグ放送波の受信品質を判断することにより、主制御部４１の負荷を軽減したチャンネル設定処理の手順を、図７に示したフローチャートに基づいて説明する。なお、情報処理装置１の記憶部４２には、チャンネル表６０が予め記憶されている。
【００８０】
始めに、情報処理装置１の主制御部４１は、ユーザの操作キー２４による指示あるいは記憶部４２に予め記憶されている予約情報による指示により、地上波ディジタルワンセグ放送波を受信し、視聴処理または録画処理を開始する（Ｓ２０１）。主制御部４１は、予め設定されている所定の時間が経過したか否かを判断する（Ｓ２０１）。
【００８１】
所定の時間が経過していない場合（Ｓ２０２のＮｏ）は、主制御部４１は、チャンネル設定処理を行わずに待機する。
【００８２】
所定の時間が経過している場合（Ｓ２０２のＹｅｓ）は、主制御部４１は、受信している地上波ディジタルワンセグ放送の受信品質情報を生成する（Ｓ２０３）。
【００８３】
受信品質は、情報処理装置１が地上波ディジタルワンセグ放送波を受信した際の電界強度や、画像デコーダ５１や音声コーディック４８における地上波ディジタルワンセグ放送波のデコードの誤り率（誤り頻度）等に基づいて決定される。
【００８４】
本発明の実施形態では、受信品質は、例えばＡ〜Ｅの５段階の受信品質レベルにより表され、例えば受信品質Ａ〜Ｃを品質良好、受信品質Ｄ〜Ｅを品質劣化と定義する。記憶部４２にこの受信品質の基準レベル（例えば受信品質レベルＣ）が記憶されており、受信品質レベルがこの基準レベルを下回った場合に、情報処理装置１が視聴処理または録画処理に失敗したと判断される。
【００８５】
主制御部４１は、受信品質が基準値以上（例えば受信品質レベルＣ以上）であるか否かを判断する（Ｓ２０４）。受信品質が基準値以上であった場合（Ｓ２０４のＹｅｓ）は、主制御部４１は、視聴処理または録画処理を継続する。
【００８６】
受信品質が基準値を下回っていた場合（Ｓ２０４のＮｏ）は、主制御部４１は、ＧＰＳ受信部５９によりＧＰＳ放送局１１からＧＰＳ情報を受信し、情報処理装置１の測位を行う（Ｓ２０５）。そして、主制御部４１は、このＧＰＳ情報に基づいて、記憶部４２に記憶されているチャンネル表６０から、情報処理装置１が置かれている放送エリアのマップ情報を読み出す（Ｓ２０６）。
【００８７】
主制御部４１は、このマップ情報から視聴処理または録画処理を行う番組が放送されているチャンネルを示すチャンネル情報を生成する（Ｓ２０７）。そして、主制御部４１は、受信する地上波ディジタルワンセグ放送のチャンネルをこのチャンネルに設定して切り替える（Ｓ２０８）。この際、視聴処理または録画処理がされているチャンネル情報がマップ情報から生成されたチャンネル情報と等しかった場合には、主制御部４１は、このチャンネルの設定／切替を行う必要はない。
【００８８】
主制御部４１は、地上波ディジタルワンセグ放送波の視聴処理または録画処理を終了する旨の指示がなされたか否かを判断する（Ｓ２０９）。
【００８９】
視聴処理または録画処理を終了する旨の指示がなされていない場合（Ｓ２０９のＮｏ）は、主制御部４１は、視聴処理または録画処理を継続する。
【００９０】
また、視聴処理または録画処理を終了する旨の指示がなされた場合（Ｓ２０９のＹｅｓ）は、主制御部４１は、地上波ディジタルワンセグ放送波の視聴処理または録画処理を終了する（Ｓ２１０）。
【００９１】
このように、地上波ディジタルワンセグ放送波の受信品質が劣化した場合のみ、情報処理装置１の記憶部４２に記憶されたチャンネル表６０を用いてチャンネルを再設定することにより、情報処理装置１は、移動しながら地上波ディジタルワンセグ放送を視聴または録画する際においても、主制御部４１の負荷を軽減させて使用電力を最小限に抑えつつ、スムーズなチャンネル設定を行うことが可能となる。
【００９２】
次に、情報処理装置１によりチャンネル設定処理が行われる際に、チャンネル表６０を記憶し管理している情報管理装置からチャンネル情報を受信することにより、情報処理装置１がチャンネル設定処理を行う手順を、図８に示すフローチャートに基づいて説明する。
【００９３】
始めに、情報処理装置１の主制御部４１は、ユーザの操作キー２４による指示あるいは記憶部４２に予め記憶されている予約情報による指示により、地上波ディジタルワンセグ放送波を受信し、視聴処理または録画処理を開始する（Ｓ３０１）。主制御部４１は、予め設定されている所定の時間が経過したか否かを判断する（Ｓ３０２）。
【００９４】
所定の時間が経過していない場合（Ｓ３０２のＮｏ）は、主制御部４１は、チャンネル設定処理を行わずに待機する。
【００９５】
所定の時間が経過している場合（Ｓ３０２のＹｅｓ）は、主制御部４１は、Ｓ２０３と同様の手法で、受信している地上波ディジタルワンセグ放送の受信品質情報を生成する（Ｓ３０３）。
【００９６】
主制御部４１は、受信品質が基準値以上（例えば受信品質レベルＣ以上）であるか否かを判断する（Ｓ３０４）。受信品質が基準値以上であった場合（Ｓ３０４のＹｅｓ）は、主制御部４１は、視聴処理または録画処理を継続する。
【００９７】
受信品質が基準値を下回っていた場合（Ｓ３０４のＮｏ）は、主制御部４１は、ＧＰＳ受信部５９によりＧＰＳ放送局１１からＧＰＳ情報を受信して、情報処理装置１の測位を行う（Ｓ３０５）。そして、主制御部４１は、このＧＰＳ情報を情報管理装置に送信する（Ｓ３０６）。
【００９８】
情報管理装置は、チャンネル表６０、すなわち各放送エリアのマップ情報を保持していて、このＧＰＳ情報から放送エリアを抽出し、この放送エリアによりチャンネル情報を生成して、チャンネル情報を情報処理装置１に送信する。
【００９９】
主制御部４１は、視聴処理または録画処理を行っている番組が放送されているチャンネルを示すチャンネル情報を、情報管理装置から受信したか否かを判断する（Ｓ３０７）。この際、対応するチャンネルが存在しなかった場合等、情報処理装置１が情報管理装置からチャンネル情報を受信できなかった場合（Ｓ３０７のＮｏ）には、主制御部４１は、視聴処理または録画処理を継続する。
【０１００】
情報管理装置からチャンネル情報を受信した場合（Ｓ３０７のＹｅｓ）は、主制御部４１は、受信する地上波ディジタルワンセグ放送のチャンネルをこのチャンネルに設定して切り替える（Ｓ３０８）。この際、視聴処理または録画処理がされているチャンネル情報が情報管理装置から受信したチャンネル情報と等しかった場合には、主制御部４１は、このチャンネルの設定／切替を行う必要がない。
【０１０１】
主制御部４１は、地上波ディジタルワンセグ放送波の視聴処理または録画処理を終了する旨の指示がなされたか否かを判断する（Ｓ３０９）。
【０１０２】
視聴処理または録画処理を終了する旨の指示がなされていない場合（Ｓ３０９のＮｏ）は、主制御部４１は、視聴処理または録画処理を継続する。
【０１０３】
また、資料処理または録画処理を終了する旨の指示がなされた場合（Ｓ３０９のＹｅｓ）は、主制御部４１は、地上波ディジタルワンセグ放送波の視聴処理または録画処理を終了する（Ｓ３１０）。
【０１０４】
本発明の実施形態では、受信品質が予め設定された基準値以下の場合に、ＧＰＳ情報を受信し、予め記憶されているマップ情報、もしくは情報管理装置から受信するマップ情報に基づき、チャンネル設定/切替を行う場合について説明したが、ＧＰＳ情報を定期的に測位、もしくは、ＧＰＳ情報を定期的に情報管理装置に送信するようにしても良い。こうすることで、放送受信品質が劣化する前に、移動方向に応じた適切なチャンネル設定/切替を行うことを実現できる。
【０１０５】
また、情報処理装置１の記憶部４２には、マップ情報だけでなく、情報管理装置から受信したチャンネル情報を適宜追加、記憶してもよいし、 また、情報管理装置から予め、全放送エリア、もしくは地方エリアのマップ情報を一括してダウンロードして、適宜更新するようにしても良い。
【０１０６】
なお、本発明に係る情報処理装置１として携帯電話機型の情報処理装置１について説明したいが、これに限らず、ＰＤＡ（Personal Digital Assistant）、パーソナルコンピュータ、その他の情報処理装置にも適用することができる。
【０１０７】
また、本発明の実施形態では、情報処理装置１が地上波ディジタルワンセグ放送波を受信する場合について説明したが、これに限らず、地上波ディジタル放送波、地上波ディジタル３セグメントラジオ放送波等であっても構わない。
【０１０８】
また、本発明の実施形態において説明した一連の処理は、ソフトウェアにより実行させることもできるが、ハードウェアにより実行させることもできる。
【０１０９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１１０】
【図１】本発明に係る情報処理装置が適用されるネットワークシステムの構成図。
【図２】本発明に係る情報処理装置の外観図。
【図３】本発明に係る情報処理装置の外観図。
【図４】本発明に係る情報処理装置の構成図。
【図５】チャンネル表を示すデータ構成図。
【図６】本発明に係る情報処理装置がチャンネル設定／切替処理を行う手順を示すフローチャート。
【図７】本発明に係る情報処理装置がチャンネル設定／切替処理を行う手順を示すフローチャート。
【図８】本発明に係る情報処理装置がチャンネル設定／切替処理を行う手順を示すフローチャート。
【符号の説明】
【０１１１】
１  情報処理装置
３  ネットワークシステム
４ａ、４ｂ、・・  放送局
５ａ、５ｂ、・・  基地局
６  公衆回線網
７  アクセスサーバ
８  ネットワーク
９ａ、９ｂ、・・  無線ＬＡＮネットワーク
１０ａ、１０ｂ、・・  アクセスポイント
１１  ＧＰＳ放送局
２１  ヒンジ部
２２  第１の筐体
２３  第２の筐体
２４  操作キー
２５  メインディスプレイ
２６  マイクロフォン
２７  サイドキー
２８  スピーカ
２９ａ〜２９ｄ  磁気センサ
３０  ＣＣＤカメラ
３１  サブディスプレイ
３２  静電タッチパッド
３３ａ、３３ｂ  ＬＥＤ
４１  主制御部
４２  記憶部
４３  電源回路部
４４  操作入力制御部
４５  ＬＣＤ制御部
４６  カメラインターフェース
４７  画像エンコーダ
４８  音声コーディック
４９  変復調回路部
５０  多重化分離部
５１  画像デコーダ
５２  無線ＬＡＮモジュール
５３  地上波ディジタルワンセグ受信部
５４  記録再生部
５５  バス
５６  送受信回路部
５７  アンテナ
５８  メモリカード
５９  ＧＰＳ受信部
６０  チャンネル表
Ａ、Ｂ、・・  放送エリア
【図１】
2008124672.tif 000003
【図２】
2008124672.tif 000004
【図３】
2008124672.tif 000005
【図４】
2008124672.tif 000006
【図５】
2008124672.tif 000007
【図６】
2008124672.tif 000008
【図７】
2008124672.tif 000009
【図８】
2008124672.tif 000010